(57)【特許請求の範囲】
【請求項１】
本体内部に設けた送風手段と、前記本体に形成した乾燥室と、前記送風手段で発生させた送風を前記乾燥室に送出する吹出ノズルと、前記乾燥室の下部に着脱自在に設けた水受け手段と、前記水受け手段は水受けカップと水受けカップカバーにより形成され、前記送風手段の吸込み側に連通する吸気口および吸気通路と、前記吸気口に設けたフィルターとを備え、前記水受けカップカバーの先端と前記フィルターを連結した手乾燥装置。
【請求項２】
水受け手段に連結されるフィルターを分離可能に設けた請求項１記載の手乾燥装置。
【請求項３】
水受け手段に連結されるフィルターの有無を検出する検出手段と、この検出手段の信号によリ送風手段を駆動制御する制御手段を設けてなる請求項１または請求項２記載の手乾燥装置。
【請求項４】
フィルターの後流側の吸気通路に着脱自在に保護フィルターを設けてなる請求項１または請求項２記載の手乾燥装置。
【請求項５】
吸気通路に設けた保護フィルターの有無を検出する予備検出手段と、この予備検出手段の信号により送風手段を駆動制御する制御手段を設けてなる請求項４記載の手乾燥装置。
【発明の詳細な説明】
【０００１】
【発明の属する技術分野】
本発明は、洗面所やトイレ等にて手を洗った場合、濡れた手を乾燥する手乾燥装置に関する。
【０００２】
【従来の技術】
従来、この種の手乾燥装置は、特願平０８−２５４１１９号（特開平１０−９９２３５号公報）に記載されたものが知られている。
【０００３】
以下、その手乾燥装置について図４を参照しながら説明する。
図に示すように、壁面に固定された本体１０１は、フロントケース１０２および下部に突設した水受け皿１０３で構成されている。フロントケース１０２内には送風手段１０４、発熱手段１０５および制御手段１０８が設けられており、フロントケース１０２の下端部には、送風吹出ノズル１０６がフロントケース１０２と水受け皿１０３で構成される乾燥空間１０２ａに向けて設置されている。また水受け皿１０３下部には送風手段１０４の空気吸込み口１１７が配置されるとともに、前面から着脱可能で、水受け皿１０３と連通する連通管１１３を有する水受けカップ１１４が配置されている。また水受けカップ１１４上面には水受けカップカバー１２１が設置され、連通管１１３から漏れ出る乾燥空間１０２ａからの送風による波立ちを防止している。一方、空気吸込み口１１７には着脱可能なフィルター枠１２２が設置されている。
【０００４】
上記構成において、濡れた手を乾燥空間１０２ａに挿入すると制御手段１０８により空気吸込み口１１７からフィルター枠１２２を介して吸気され、送風手段１０４および発熱手段１０５により温風が形成されて、送風吹出ノズル１０６より送風され、手についた水を飛散して乾燥させる。このとき手から離れた水滴は水受け皿１０３に集まり連通管１１３から水受けカップ１１４に集められる。
【０００５】
【発明が解決しようとする課題】
このような従来の手乾燥装置では、空気吸込み口に設けたフィルターにほこりや塵が積もると、吸気量が減少して乾燥能力が低下するため、定期的にフィルターの清掃する必要があるが、フィルターの設置場所が分かりにくい場合は、清掃されずにそのまま使用されることがあり、また、フィルター以外にも水受けカップ、水受けカップカバーなどの本体から分離できる部品点数が多いため、清掃する手間が多くなり、紛失にも気をつける必要があるという課題があり、フィルターの清掃忘れを防止するとともに、分離して点検する部品点数を少なくすることが要求されている。
【０００６】
また、フィルターの取付位置が本体の奥深くにある場合は、フィルターの着脱が不便であり、また、フィルターが清掃しづらいという課題があり、フィルターが本体の奥に納まっているときも清掃しやすくできることが要求されている。
【０００７】
また、フィルターを吸気口へ付け忘れたり、フィルターの脱離などでフィルターのない状態で運転することがあり、その場合は、ほこりや塵が直接送風手段に入り、送風量の減少だけでなく、モータ内部にほこりなどが堆積してモータを損傷することがあるという課題があり、フィルターが吸気口に付いているときのみ運転できることが要求されている。
【０００８】
また、フィルターを吸気口に取り付けても、フィルターの破損や変形でほこりや塵が侵入する場合は、前述と同様に風量の減少やモータを損傷するという課題があり、ほこりなどが吸気口から吸気通路に侵入しても、送風手段には侵入できないことが要求されている。
【０００９】
また、吸気通路にほこりや塵を補集する補集手段を掃除した際、この補集手段をつけ忘れることがあるという課題があり、補集手段が正規の位置に確実に取りつけられていないときは運転できないことが要求されている。
【００１０】
本発明は、このような従来の課題を解決するものであり、フィルターの清掃忘れを防止するとともに、清掃する部品点数を少なくすることができ、また、フィルターが本体の奥に収入されている場合にフィルターの清掃を容易に行うことができ、また、フィルターが吸気口にないときは不正規な運転を防止することができ、また、フィルターの破れなどでほこりなどが吸気通路に侵入した場合でも送風手段を保護することができ、また、送風手段をほこりから守る保護フィルターがないときは運転を開始できない手乾燥装置を提供することを目的としている。
【００１１】
【課題を解決するための手段】
本発明の手乾燥装置は上記目的を達成するために、本体内部に設けた送風手段と、前記本体に形成した乾燥室と、前記送風手段で発生させた送風を前記乾燥室に送出する吹出ノズルと、前記乾燥室の下部に着脱自在に設けた水受け手段と、前記水受け手段は水受けカップと水受けカップカバーにより形成され、前記送風手段の吸込み側に連通する吸気口および吸気通路と、前記吸気口に設けたフィルターとを備え、前記水受けカップカバーの先端と前記フィルターを連結したものである。
【００１２】
そして本発明によれば、フィルターの清掃忘れを防止するとともに、清掃する部品点数を少なくすることができる手乾燥装置が得られる。
【００１３】
また他の手段は、水受け手段に連結されるフィルターを分離可能に設けたものである。
【００１４】
そして本発明によれば、フィルターをが本体の奥に収納されている場合にフィルターの清掃を容易に行なうことのできる手乾燥装置が得られる。
【００１５】
また、他の手段は、水受け手段に連結されるフィルターの有無を検出する検出手段と、この検出手段の信号により送風手段を駆動制御する制御手段を設けたものである。
【００１６】
そして本発明によれば、フィルターが吸気口にないときは不正規な運転を防止することのできる手乾燥装置が得られる。
【００１７】
また、他の手段は、フィルターの後流側の吸気通路に着脱自在に保護フィルターを設けたものである。
【００１８】
そして、本発明によれば、フィルターの破れなどでほこりなどが吸気口から吸気通路に侵入した場合でも、送風手段を保護することができる手乾燥装置が得られる。
【００１９】
また、他の手段は、吸気通路に設けた保護フィルターの有無を検出する予備検出手段と、この予備検出手段の信号により送風手段を駆動制御する制御手段を設けたものである。
【００２０】
そして本発明によれば、送風手段をほこりから守る保護フィルターがないときは運転を開始できない手乾燥装置が得られる。
【００２１】
【発明の実施の形態】
本発明は、本体内部に設けた送風手段と、前記本体に形成した乾燥室と、前記送風手段で発生させた送風を前記乾燥室に送出する吹出ノズルと、前記乾燥室の下部に着脱自在に設けた水受け手段と、前記水受け手段は水受けカップと水受けカップカバーにより形成され、前記送風手段の吸込み側に連通する吸気口および吸気通路と、前記吸気口に設けたフィルターとを備え、前記水受けカップカバーの先端と前記フィルターを連結したものであり、水受け手段とフィルターを連結しているため、水受け手段に溜まった水を捨てるときに、同時にフィルターの汚れ具合を見ることができるという作用を有する。
【００２２】
また、水受け手段に連結されるフィルターを分離可能に設けたものであり、フィルターを水受け手段とともに引き出して、フィルターのみを分離して清掃できるという作用を有する。
【００２３】
また、水受け手段に連結されるフィルターの有無を検出する検出手段と、この検出手段の信号により送風手段を駆動制御する制御手段を設けたものであり、フィルターの未装着を検出したときは、制御手段により送風手段を駆動しないようにするという作用を有する。
【００２４】
また、フィルターの後流側の吸気通路に着脱自在に保護フィルターを設けたものであり、ほこりなどが吸気口のフィルターで捕えられずに吸気通路に侵入した場合に、後流側の保護フィルターで集塵することにより送風手段への侵入を防いで保護することができるという作用を有する。
【００２５】
また、フィルターの後流側の吸気通路に設けた保護フィルターの有無を検出する予備検出手段と、この予備検出手段の信号により送風手段を駆動制御する制御手段を設けたものであり、保護フィルターの未装着を検出したときは、制御手段により送風手段の運転を開始できないようにして、送風手段へのほこり侵入を防ぐという作用を有する。
【００２６】
以下、本発明の実施例について図面を参照しながら説明する。
【００２７】
【実施例】
（実施例１）
図１〜図３に示すように壁面に固定された本体１は、フロントケース２および下部に突設した水受け皿３で構成されている。フロントケース２内部には送風手段４、発熱手段５、制御手段８およびハンドセンサ９が設けられており、フロントケース２の前方下部には、送風吹き出しノズル６が突設され、フロントケース２と水受け皿３で囲まれる乾燥室２ａに向けて吹き出すようになっている。また、本体１中央の後背部には送風手段の吸込側と連通する吸気通路１０が配設され、水受け皿３下部に開口する吸気口１１に連通している。
【００２８】
また、乾燥室２ａ下面にあたる水受け皿３上面には、乾燥室２ａに溜まった水を排水する排水口７が設けられている。
【００２９】
一方、前面から着脱自在の水受け手段は、水受けカップ１４と水受けカップカバー１５により形成され、水受けカップカバー１５には排水口７と連通する連通菅１３が設置されている。吸気口１１にはフィルター１２が設置されるとともに、水受けカップカバー１５と略一体に連結されている。
【００３０】
上記構成において、乾燥空間２ａに手が挿入されると、ハンドセンサ９が手を検出して、制御手段８を介して送風手段４と発熱手段５を動作させ、フィルター１２を通して吸気口１１より外気を吸い込み、吸気通路１０を通じて送風手段４に吸入され、送風吹き出しノズル６より高速の温風を乾燥室２ａに送出する。送風吹き出しノズル６より吹き出された高速温風は手の表面に当たり、付着した水滴を分離しつつ乾燥する。分離した水滴は乾燥室２ａの下面の水受け皿３上面に溜まり、排水口７から連通菅１３を通り水受けカップ１４に集められる。この動作をくり返すことによりフィルター１２には外気中の塵やほこりが堆積し、水受けカップ１４には水が溜まる。水受けカップ１４内の水を捨てるときに、水受けカップ１４を水受け皿３下部から抜き出すが、このときフィルター１２は水受けカップ１４の上面に取りつけられた水受けカップカバー１５と連結しているため同時に抜き出され、水受けカップ１４と同時に清掃することができ、フィルター１２の清掃忘れを防止することができる。また、水受け皿３に水受けカップ１４を装着する場合も、同時にフィルター１２が装着され、装着忘れを防止することができる。
【００３１】
（実施例２）
図１および図２に示すように、フィルター１２は水受けカップカバー１５の先端に着脱可能に設置されている。
【００３２】
上記構成において、通常使用時には水受けカップカバー１５にフィルター１２が略一体に結合されているが、水受けカップ１４を抜き出して清掃するときは、水受けカップカバー１５からフィルター１２を分離することができ、清掃を容易にすることができる。
【００３３】
また、フィルター１２を本体の奥に収納するときや引き出すときは、水受けカップカバー１５の先端に取付けてあるので、フィルター１２の装着または取り出し作業を簡単に行うことができる。
【００３４】
（実施例３）
図１および図２に示すように、水受けカップカバー１５上面にフィルター１２の着脱を検出する検出スイッチ２１が配設されており、フィルター１２が装着されている場合は、ＯＮの検出信号を制御手段８に送り、動作可能としている。また、フィルター１２が装着されていない場合は、検出信号がＯＦＦとなり、制御手段８により本体の運転を開始できないようにしている。
【００３５】
上記構成において、フィルター１２が装着されていない場合に、送風手段４を運転することができず、塵やほこりが吸気口１１よりフロントケース２に侵入しないようにして故障を防止することができる。
【００３６】
（実施例４）
図１ないし図３に示すように、吸気口１１のフィルター１２とともに本体１背面の吸気通路１０に着脱自在に保護フィルター２２が設置されている。
【００３７】
上記構成において、送風手段４が動作した場合、吸気口１１のフィルター１２と吸気通路１０に設けた保護フィルター２２により、確実に塵やホコリを除去できるとともに、もし吸気口１１のフィルター１２が付け忘れや破損等で汚染空気を吸気通路１０に吸引した場合でも、保護フィルター２２により塵やホコリのフロントケース２内への侵入を防止することができる。
【００３８】
（実施例５）
図１ないし図３に示すように、フロントケース２内部の吸気通路１０に保護フィルター２２の着脱を検出する検出スイッチ２３が配設されており、保護フィルター２２が装着されている場合は、ＯＮの検出信号を制御手段８に送り、送風手段４などを動作可能としている。また、保護フィルター２２が装着されていない場合は、検出信号がＯＦＦとなり、制御手段８により送風手段４などを動作不能としている。
【００３９】
上記構成において、保護フィルター２２が装着されていない場合に、送風手段４などを強制的に運転しないようにして、塵やほこりがフロントケース２内により侵入することを未然に防止することができる。
【００４０】
【発明の効果】
以上の実施例から明らかなように、本発明によれば、水受け手段とフィルターが連結されているため、フィルターの清掃忘れや付け忘れを防ぐとともに清掃部品を少なくして部品管理を容易にできる手乾燥装置を提供することができる。
【００４１】
また、フィルターを水受け手段から分離可能に設けることにより、掃除性を向上するとともに、本体の奥へのフィルターの装着や取り外し作業が容易にできる手乾燥装置を提供することができる。
【００４２】
また、フィルターの有無を検出する検出手段を設けて、フィルターがないときは送風手段など駆動しないようにして、故障を防止できる手乾燥装置を提供することができる。
【００４３】
また、もしフィルターが脱離や破損した場合でも、保護フィルター２２を吸気通路１０に設けているため、送風手段などへの塵やほこりが入らないようにして、故障を防止できる手乾燥装置を提供することができる。
【００４４】
また、保護フィルターの有無を検出する検出手段を設けて、保護フィルターがないときは送風手段などを駆動しないように制御して、故障を防止できる手乾燥装置を提供することができる。
【図面の簡単な説明】
【図１】本発明の実施例１〜実施例５の手乾燥装置の断面図
【図２】同実施例１〜実施例３の要部分解斜視図
【図３】同実施例１，実施例４および実施例５の背面斜視図
【図４】従来の手乾燥装置の断面図
【符号の説明】
１      本体
２ａ    乾燥室
４      送風手段
６      吹出ノズル
８      制御手段
１０    吸気通路
１１    吸気口
１２    フィルター
１４    水受けカップ（水受け手段）
１５    水受けカップカバー（水受け手段）
２１    検出手段
２２    保護フィルタ
２３    予備検出手段
【図１】
0003886240.tif 000002
【図２】
0003886240.tif 000003
【図３】
0003886240.tif 000004
【図４】
0003886240.tif 000005